(57)【要約】      （修正有）【課題】金属屋根あるいはその裏打材の裏側に設けた換気通路に外気を導入することが容易な金属板製広小舞を提案する。また、かかる金属板製広小舞を用いて金属屋根あるいはその裏打材の裏側に設けた換気通路に外気を導入することが容易な軒先構造及びさらに導入された外気を屋根頂部の換気棟から逸散させることのできる金属瓦屋根を提案する。【解決手段】金属板製広小舞１０を、桁方向に延在する平坦な頂部１１と、該頂部から垂下した脚部１２，１３と、該脚部に設けた野地板取り付け部１５とを有してなる金属板製広小舞であって、前記脚部には外気流通用開口部１４，１６が設けられているものとする。【選択図】          図６
2004278181.tif 000002
【特許請求の範囲】
【請求項１】
桁方向に延在する平坦な頂部と、該頂部から垂下した脚部と、該脚部に設けた野地板取り付け部とを有してなる金属板製広小舞であって、
前記脚部には外気流通用開口部が設けられていることを特徴とする金属板製広小舞。
【請求項２】
桁方向に延在する平坦な頂部と、該頂部の両側端から垂下した軒側脚部および棟側脚部と、該棟側脚部に設けた野地板取り付け部とを有してなる金属板製広小舞であって、
前記軒側脚部及び棟側脚部には外気流通用開口部が設けられていることを特徴とする金属板製広小舞。
【請求項３】
請求項１又は２記載の金属板製広小舞を備え、該広小舞の外気流通用開口部を金属屋根直下及び／又は野地板直上に形成された換気通路に通ずるようにしてなることを特徴とする金属瓦屋根の軒先構造。
【請求項４】
金属屋根直下及び／又は野地板直上に軒先から屋根頂部に至る換気通路を有し、該換気通路から流出する空気を屋根頂部の換気棟から逸散させる金属瓦屋根において、
前記軒先には請求項３の金属瓦屋根の軒先構造を有することを特徴とする金属瓦屋根。
【発明の詳細な説明】
【０００１】
【発明の属する技術分野】
この発明は、屋根瓦、特に金属屋根瓦を用いて屋根を葺くとき好適に用いることができるに広小舞の構造に係り、また、この広小舞を用いて葺いた金属瓦屋根の軒先構造及び金属瓦屋根に関する。
【０００２】
【従来の技術】
金属屋根は、軽量であって施工効率が高く、かつ色彩、形状の選択範囲が広いので一般住宅のほか、高層集合住宅や倉庫、工場にも広く利用されている。しかし、このような金属屋根は、伝熱性が高く、遮音性に劣るため、結露や夏季の高温、冬期の低温や騒音など多くの住環境上の問題を抱えており、そのさらなる普及のためにはこれらの問題を解決する必要がある。
【０００３】
そのような問題を解決するために、特許文献１には、金属板の表面材および断熱性のある裏打材からなる屋根材において、前記裏打材の表面に軒から棟の方向に空気の流れが可能な複数の凹溝と、これにつながる水勾配方向に対し横方向の凹溝を軒側端に設けた屋根材が提案されている。
【０００４】
このような手段によって、金属屋根あるいはその裏打材の裏側に空気の流れを作ることにより、前記の問題をある程度解決することが可能である。しかしながら、金属屋根の施工に当たっては、軒先の雨仕舞いのため、野地板を屋根板より軒側に出し、そこに広子舞と呼ばれる中間部材を介してスターター（唐草、軒先水切りとも呼ばれる）を取り付けている。この広子舞は、一般に木質のブロックで製作され、野地板の前面を広く覆う形状をしているため、前記特許文献１の手段によって、たとえば野地板と裏打材との間に空気の流れる換気通路を作っても軒先からこの換気通路に外気が十分流れ込まないという問題が生ずる。
【０００５】
このような広子舞に関しては、たとえば特許文献２に凹部底面を有する略逆ハット型広子舞を屋根の野地板先端に取付固定することによって、概略逆ハット型広子舞の凹部底面と屋根材との間に空気通路を形成した小屋裏の換気構造が提案されている。
【０００６】
【特許文献１】
特許第２６３２４５８号公報
【特許文献２】
特開２００１−３４９０２３号公報
【０００７】
【発明が解決しようとする課題】
しかしながら、上記特許文献２による場合も、広子舞はその側面が野地板の前面を広く覆っているものであり、それを通して小屋裏に外気を導入するものであるために、先に述べた金属屋根あるいはその裏打材の裏側に設けた換気通路に外気を導入することは困難である。
【０００８】
本発明は、かかる従来の広小舞に関する問題点を解決し、屋根、特に金属屋根あるいはその裏打材（断熱材）の裏側に設けた換気通路に外気を導入することが容易な金属板製広小舞を提案するものである。また本発明は、かかる金属板製広小舞を用いて金属屋根あるいはその裏打材の裏側に設けた換気通路に外気を導入することが容易な軒先構造及びさらに導入された外気を屋根頂部の換気棟から逸散させることができる金属瓦屋根を提案するものである。
【０００９】
【課題を解決するための手段】
本発明の金属板製広小舞は、桁方向に延在する平坦な頂部と、該頂部から垂下した脚部と、該脚部に設けた野地板取り付け部とを有してなる金属板製広小舞であって、前記脚部には外気流通用開口部が設けられているものである。本発明を実施するに当たっては、金属板製広小舞を桁方向に延在する平坦な頂部と、該頂部の両側端から垂下した軒側脚部および棟側脚部と、該棟側脚部に設けた野地板取り付け部とを有し、前記軒側脚部及び棟側脚部には外気流通用開口部が設けられているものとするのが好適である。
【００１０】
本発明の金属瓦屋根の軒先構造は、上記金属板製広小舞を備え、該広小舞の外気流通用開口部を金属屋根直下及び／又は野地板直上に形成された換気通路に通ずるようにしている。
【００１１】
さらに、金属屋根直下及び／又は野地板直上に軒先から屋根頂部に至る換気通路を有し、該換気通路から流出する空気を屋根頂部の換気棟から逸散させる金属瓦屋根に前記軒先構造を利用することができる。
【００１２】
【発明の実施の形態】
以下、本発明をその代表的な実施例に基づき具体的に説明する。図１は、本発明において用いる金属瓦屋根の換気構造の断面構造を示す概要図、図４はその斜視図である。図２、図３は、それぞれ金属瓦屋根の軒先構造の詳細説明図、屋根頂部の代表的な構造の断面を示す説明図である。
【００１３】
ここに示すように、金属瓦１が日照によって熱せられたときに軒先から外気が入るようにし、それを金属瓦屋根の裏側に設けた断熱材２と野地板３（その上にはルーフィング４が施されている）との間の換気通路１９を通して屋根頂部に設けた換気棟２０の内側２１に導き、さらに排気口２２を通してから熱気を外部に逃がすことができるようになっている。
【００１４】
本発明では、軒先の構築のために用いる広小舞１０を、その側面を通して外気を換気通路１９に導くことができるものとしている。このような広小舞１０は、図５及び図６に示されているように、屋根の桁方向に延在する頂部平坦部１１と、該頂部平坦部１１の両側端から垂下した軒側脚部１２および棟側脚部１３と、該棟側脚部１３の端部に設けた野地板取り付け部１５とを有し、その軒側脚部１２及び棟側脚部１３にそれぞれ外気流通用開口部１４、１６を設けたものとなっている。
【００１５】
この金属製広小舞１０の幅Ｗ、軒側脚部１２及び棟側脚部１３の高さＨ１、Ｈ２、さらにその長さＬは、通常の木製あるいは金属製広小舞と同様金属屋根と野地板との取り合いを考慮して定めればよい。また、その材質は、風雨にさらされること、及び製作上の成形性を考慮してめっき鋼板とするのが適当であるが、銅板やステンレス鋼板等に代えることもできる。
【００１６】
軒側脚部１２及び棟側脚部１３に設けた外気流通用開口部１４、１６の大きさは、前記換気通路１９に十分な外気を流通させることができるものであればよく、屋根の設計条件を考慮して必要な住環境が得られるように適宜定めればよい。その形状は、本例では脚部の一部を切り欠いたものとなっているが、これに限られることなく、たとえば前記脚部１２、１３に適当な直径の円形通気孔を多数穿設したものとしてもよい。
【００１７】
なお、上記金属板製広小舞は、鋼板等のプレス成形により一体物とすることにより製作するのが、経済的、効率的であるが、必要に応じて他の手段、たとえば溶接、あるいは締鋲類による緊結などを併用してもよい。
【００１８】
上記金属板製広小舞１０を金属屋根軒先に取り付ける場合の構造は、図２に例示するとおりである。ここでは、まず、野地板３の所定箇所に金属板製広小舞１０を野地板取り付け部１５によって、たとえば、ビスによって取り付ける。次いで、軒先スターター５および軒先吊子６を金属板製広小舞１０と嵌合するように取りつける。
【００１９】
この構造を取ることにより、外気は、図２に点線で示したように、軒先スターター５の裏面から金属板製広小舞１０の軒側開口部１４に入り、その棟側開口部１６を抜けて野地板３と断熱材２の間に形成されている換気通路１９に流れることができる。換気通路１９を通る外気は、すでに図１に示したように、金属瓦を勾配方向、桁方向にに連ねてできた屋根の断熱材２の下を通って屋根頂部に至り、換気棟２０の内側２１、さらに排気口２２から外部に逸散して排出される。これによって、日照時でも野地板３の温度は比較的低温に保たれ、建物の住環境の改善を図ることができる。
【００２０】
以上、本発明の実施形態をその１実施例にしたがって説明したが、本発明は上記実施例に限られるものではない。たとえば、金属板製広小舞の形状を、桁方向に延在する平坦な頂部とからなるものとし、その脚部に外気流通用開口部を設けたものとすることができる。具体的には図７に示すように、広小舞の形状を断面Ｈ形鋼状とし、そのフランジ相当部の一方の面を本発明における頂部平坦部１１、他の面を野地板取り付け部１５とし、ウェブ相当部を脚部１７とし、該脚部１７に多数の円形の孔を設け、これを開口部１８としてもよい。同様に図８に示すように断面溝形鋼状として本発明の金属板製広小舞とすることもできる。
【００２１】
また、たとえば、金属瓦１と野地板３との間に設ける換気通路１９は、上記実施例における断熱材２と野地板３の間のほかに、金属屋根１と断熱材２との間に設けてもよい。このような場合には、広小舞１０の棟側脚部１３に断熱材２と野地板３の間の換気通路に対応する位置に開口部が設けられればよい。
【００２２】
また、換気棟２０の構造も上記実施例に限定されず、公知の種々の構造のものを利用することができる。さらに、軒先スターター５と広小舞１０の取り付け構造も上記実施例に限られず、たとえば、広小舞と軒先スターターを一体に構成したものとすることができる。要するに、広小舞の軒側脚部及び棟側脚部に設けられた開口部を通して外気が換気通路に十分送りこめるようになっていればよい。
【００２３】
なお、本発明に係る金属製広小舞は上記説明に明らかなように、金属瓦屋根の構築に好適に利用できるが、それに限られるものではなく、たとえばスレート瓦下に換気通路を設ける場合にも利用することができる。
【００２４】
【発明の効果】
本発明により広小舞を通して外気を金属屋根瓦と断熱材の間、あるいは断熱材と野地板との間に設けた換気通路に十分な外気を送り込めるようになる。これにより、野地板の温度上昇や結露を効果的に抑制することができ、住環境の改善を図ることができる。
【図面の簡単な説明】
【図１】本発明に係る金属瓦屋根の断面構造の概要図である。
【図２】本発明に係る金属瓦屋根の軒先構造の断面構造を示す説明図である。
【図３】屋根頂部の代表的な断面構造を示す説明図である。
【図４】本発明に係る広小舞を用いた金属屋根の換気の状態を示す斜視図である。
【図５】本発明に係る広小舞の代表例の（ａ）平面図、（ｂ）正面図、（ｃ）背面図、（ｄ）ＡＡ側面図である。
【図６】本発明に係る広小舞の代表例の斜視図である。
【図７】本発明に係る広小舞の形状をＨ形鋼状としたときの斜視図である。
【図８】本発明に係る広小舞の形状を溝形鋼状としたときの斜視図である。
【符号の説明】
１：金属屋根
２：断熱材
３：野地板
４：ルーフィング
５：軒先スターター
６：軒先吊子
１０：金属製広小舞
１１：頂部平坦部
１２：軒側脚部
１３：棟側脚部
１４：（軒側脚部の）開口部
１５：（棟側脚部の端部の）野地板取り付け部
１６：（棟軒側脚部の）開口部
１７：脚部
１８：開口部
１９：換気通路
２０：換気棟
２１：換気棟の内側
２２：排気口
【図１】
2004278181.tif 000003
【図２】
2004278181.tif 000004
【図３】
2004278181.tif 000005
【図４】
2004278181.tif 000006
【図５】
2004278181.tif 000007
【図６】
2004278181.tif 000008
【図７】
2004278181.tif 000009
【図８】
2004278181.tif 000010